(57)【特許請求の範囲】
【請求項１】
入力音響信号に対応するレベルの電気信号を補聴器側で音響信号に復元可能な伝達信号に変換する伝達信号生成手段を備えた電話機において、前記伝達信号生成手段は、前記電気信号の変化に対応する磁気信号である前記伝達信号のレベルを前記電気信号のレベルと独立に調整し、前記磁気信号を生成するコイルの巻数を選択的に切り換える調整手段を備えることを特徴とする電話機。
【発明の詳細な説明】
【０００１】
【発明の属する技術分野】
本発明は、難聴者のための、補聴器を用いての電話聴取を補助する電話機に関する。
【０００２】
【従来の技術】
難聴者の電話の聴取に有効な電話機に関して、特開昭５８―３１６４７号公報に記載された電話機が知られている。この電話機は、電話線から電話機に入力される電気信号を、それに対応する音響信号に変換して出力する受話器と、入力される音響信号を、対応する電気信号に変換して出力する送話器と、受話器に並列に接続されたコイルとから構成される。
【０００３】
コイルは、受話器の電気信号入力と並列に接続され、このコイルを流れる電気信号電流により磁気信号が発生するようになっている。この磁気信号は、補聴器に内設されているピックアップコイルに伝達される。ピックアップコイルで受信された磁気信号は、ピックアップコイル内で対応する誘導電流として再び電気信号に変換される。再変換された電気信号は、補聴器に内設されたイヤホンで音響信号に変換される。
【０００４】
このような仕組みの従来の電話機において、難聴者が磁気信号に基づいてイヤホンから出力される音響信号から明瞭に通話情報を把握するためには、以下の二通りの方法がある。
第１の方法は、上記磁気信号発生用のコイルから出力される磁気信号の出力を増大させることである。この結果、補聴器に内設されたピックアップコイルから出力される誘導電流として、電気信号が磁気信号の出力の増大に対応して増大され、イヤホンから出力される通話音響信号も同様に増大される。
第２の方法は、補聴器に内設されたピックアップコイルから出力される誘導電流に基づく電気信号を増幅させる。
【０００５】
【発明が解決しようとする課題】
上述のように、難聴者は、磁気信号発生用のコイルから出力された磁気信号に起因して変換される音響信号から通話情報を把握している。しかし、従来の電話機において、通話内容を明瞭に聴取するための上記の方法に下記の問題があった。
【０００６】
まず第１の方法、すなわち、磁気信号発生用のコイルから出力される磁気信号の出力を増大させる方法の場合には以下の問題がある。
電話機には、それを利用する難聴者の耳の安全のため、送受器に内設された受信器からの出力音響の強度に上限強度が設定されているが、受話器に巻回されたコイルから発生する磁気信号の十分な出力を得るために、その出力を増大させる過程で受話器からの音響出力の上限強度を超過してしまう。
【０００７】
第２の方法、すなわち、補聴器に内設されたピックアップコイルから出力される電気信号を増幅させる方法の場合には、以下の問題がある。
受話器に巻回されたコイルから出力される磁気信号のみならず、コイル以外、たとえば、周辺に存在する家電製品から遺漏する不要な磁気信号も差別なく補聴器に内設されたピックアップコイルは受信してしまう。その結果、ピックアップコイルが受信した磁気信号に対応してイヤホンから出力される音響信号にも、必要な通話情報とそれ以外の雑音が混在し、十分に通話の把握がしづらくなる。
【０００８】
そこで、本発明の課題は、難聴者の耳の安全のために設定された受話器からの音響信号出力の上限強度を越えることなく、また、周囲に存在する不要な磁気信号による雑音に煩わされることなく明瞭に通話内容を把握することのできる難聴者の聴取を補助する電話機を提供することにある。
【０００９】
【課題を解決するための手段】
上記課題を解決するための本発明の電話機は、入力音響信号に対応するレベルの電気信号を補聴器側で音響信号に復元可能な伝達信号に変換する伝達信号生成手段を備えている。この電話機において、伝達信号生成手段は、伝達信号のレベルを電気信号のレベルと独立に調整する調整手段を備えることを特徴としている。
【００１０】
この電話機の好ましい態様では、伝達信号が電気信号の変化に対応する磁気信号であり、調整手段は、磁気信号を生成するコイルの巻数を選択的に切り換える機構を備えている。たとえば、コイルは、入力音響信号に対応するレベルの電気信号を音響信号に復元する受話器に巻回されていてもよい。
【００１１】
上記本発明の電話機では、補聴器側で音響信号に復元可能な伝達信号のレベルを入力音響信号に対応する電気信号のレベルとは独立に調整する調整手段によって、受話器の音響信号出力を一定あるいは安全のために設定された上限出力以下に保ちながら、伝達信号のレベルを増減させることが可能となる。
たとえば、受話器に巻回されたコイルの巻き数の調節によって、コイルから出力される磁気信号の出力を増減させ、補聴器を通してそれに対応して増幅された音響信号を得ることができる。
【００１２】
【発明の実施の形態】
以下、図面を参照して本発明の実施の形態を詳細に説明する。
図１は、本発明の一実施形態の電話機と補聴器との関係を示す説明図である。
本実施形態の電話機１は、送受器２と、電話機本体１０と、から成る。送受器２は、受話器３と、磁気信号発生用のコイル４と、タップ５と、タップスイッチ６と、送話器７と、を有している。電話機本体１０は、受話端子８と送話端子９とを備えている。受話器３は、受話端子８に電気的に接続されており、また、磁気信号発生用のコイル４は、タップ５とタップスイッチ６とを経由して受話器３と電気的に並列に接続されている。送話器７は、電話機本体１０の送話端子９に電気的に接続されている。
【００１３】
磁気信号発生用のコイル４にはタップ５が突設されていて、タップスイッチ６でタップ５のいずれか一つの端子に接続することで、磁気信号発生用のコイル４の巻き数の選択を行う。この巻き数の選択によって、磁気信号の出力を増減させることができる。
一方、補聴器１２は、ピックアップコイル１３と、アンプ１４と、イヤホン１５と、から構成されている。ピックアップコイル１３は、アンプ１４を経由してイヤホン１５に電気的に接続されている。
【００１４】
補聴器１２の作用について説明する。
ピックアップコイル１３は、磁気信号発生用のコイル４から出力された磁気信号１１を受信し、誘導電流として電気信号に変換するものである。この電気信号は、アンプ１４において規定の強度の電気信号に増幅された後、イヤホンで音響信号に変換され出力される。このアンプ１４による増幅を大きくし過ぎれば、周囲の不要な磁気信号による雑音の存在によって通話内容が聞きにくくなることがある。
【００１５】
通話内容のより明瞭な聴取は、タップスイッチ６でタップ５のいずれか一つの端子に接続し、磁気信号発生用のコイル４の巻き数の選択を行うことによって行う。この巻き数の選択により増減する磁気信号１１のレベルを調整して、難聴者は最も聞き取り取り易いタップ５の端子を選択することができる。この選択の過程においては、受話器への入力電気信号にほとんど影響を与えないため、受話器３から出力される音響信号の強度はほとんど変化しない。
【００１６】
【発明の効果】
以上の説明から明らかなように、本発明の電話機によれば、受話器の音響信号出力を一定、あるいは安全のために設定された上限出力以下に保ちながら、補聴器への伝達信号、たとえば磁気信号のレベルを増減させることができる効果がある。これにより、従来の、通話内容を明瞭に聴取するための第１の方法の問題を解消することができる。
【００１７】
また、受話器側に伝達信号の調整手段が備えられているため、必要な伝達信号のみが増幅され、補聴器側において雑音に対応する不必要な伝達信号を増幅する問題がなく、補聴器から明瞭な通話音声を得ることができる効果がある。これにより、従来の、通話内容を明瞭に聴取するための第２の方法の問題を解消することができる。
【図面の簡単な説明】
【図１】  本発明の一実施形態において、電話機と補聴器との関係を示す説明図。
【符号の説明】
１  電話機
２  送受器
３  受話器
４  磁気信号発生用のコイル
５  タップ
６  タップスイッチ
７  送話器
８  電話機本体における受話端子
９  電話機本体における送話端子
１０  電話機本体
１１  伝達信号の一例である磁気信号
１２  補聴器
１３  ピックアップコイル
１４  アンプ
１５  イヤホン
【図１】
0003700794.tif 000002